(57)【要約】      （修正有）【課題】分解、組立できるＬＥＤ電球の構造を提供する。【解決手段】放熱カップ２、口金３、実装基板５、電源ドライバー６及びＬＥＤ発光部品７を含む。ＬＥＤ発光部品を実装基板に設置し、口金は外部に一つの接続部を具有し、対応する放熱部に第一組立部３１を設け、放熱カップは対応する両サイドは貫通する中空部２０を具有し、複数のＬＥＤ発光部品及び実装基板を搭載し、該中空部の中に載台２１を設け、実装基板の支えとし、且つ口金の第一組立部に対応する部分に第二組立部２２を設置し、口金と一体に構成する。【選択図】図２
0003172252.tif 000002
【実用新案登録請求の範囲】
【請求項１】
放熱カップ、口金、実装基板、電源ドライバー及び少なくとも一つのＬＥＤ発光部品を含み、
該ＬＥＤ発光部品を前記実装基板に設置し、前記実装基板の回路と導電し、前記実装基板は電源コードを接続し、該電源コードのエンド端に第二電気コネクタを接続し、
該口金は放熱カップと対応し、該外部に一つの接続部を具有し、対応する放熱部に第一組立部を設け、それにより放熱カップと一体に組立て、
該放熱カップは対応する両サイドは貫通する中空部を具有し、複数のＬＥＤ発光部品及び実装基板を搭載し、該中空部の中に載台を設け、実装基板の支えとし、且つ口金の第一組立部に対応する部分に第二組立部を設置し、口金と一体に構成し、
前記電源ドライバーの一端はコードにより口金の接続部と接続し、別端は第一電気コネクタと接続し、第一電気コネクタと第二電気コネクタが接続することにより、外部の電源は該電源ドライバーを通じて実装基板に供給し、ＬＥＤ発光部品をライトアップすることを特徴とするＬＥＤ電球の構造。
【請求項２】
前記第一組立部は口金の内部と連通する口金穴を具有し、該口金穴の外部は第一ねじ山を具有する表面の柱体であり、
第二組立部は、載台の口金の口金穴と対応する部分に一つの第一穴を設け、該第一穴と近隣する載台の内壁に第一ねじ山と螺合する第二ねじ山を設け、第一組立部は第一穴に挿入してから第一ねじ山を第二ねじ山と螺合できることを特徴とする請求項１記載のＬＥＤ電球の構造。
【請求項３】
前記載台は実装基板を載せる部分に一つの第二穴を設け、該第二穴と第一穴が互いに通じ、実装基板と接続する電源コードが通過できることを特徴とする請求項２記載のＬＥＤ電球の構造。
【請求項４】
前記第一組立部は口金の内部とつながる口金穴を具有し、該口金穴の端に放熱カップの方向に向けて、複数の弾性フックを設け、
該第二組立部は該載台の前記口金穴と対応する部分に一つの第一穴を設け、該載台の内壁と第一穴の間に一つの段差部を具有し、前記フックを第一穴に挿入すると、該段差部に掛合し、口金と放熱カップを固定できることを特徴とする請求項２記載のＬＥＤ電球の構造。
【考案の詳細な説明】
【技術分野】
【０００１】
本考案は電球の構造に関し、特にＬＥＤを光源とする電球構造に関する。
【背景技術】
【０００２】
ＬＥＤ(Ｌｉｇｈｔ Ｅｍｉｔｔｉｎｇ Ｄｉｏｄｅ発光ダイオード)は、その発光部品の体積が小さく、省エネ及び寿命が長いなどの特性のため、広く照明設備に応用されている。従来技術のＬＥＤ発光部品で作られるランプは、図１に示すように、構成するユニットに含まれるのはおよそ放熱カップ１０、口金１１、ガラスカバー１２、複数のＬＥＤ発光部品１３、実装基板１４及びＬＥＤ発光の電源ドライバー１５である。該複数のＬＥＤ発光部品１３を実装基板１４に設置し、電源回路で導電し、電源ドライバー１５の一端は電線１６を通じて実装基板１４と接続し、別端は電線１７を通じて口金１１と接続する。口金１１が外部の電源と接続した後、該電源ドライバー１５を通じて、実装基板１４がＬＥＤ発光部品１３を光らせ、光線をガラスカバー１２の外に照射する。
【０００３】
前記従来技術のＬＥＤ電球の放熱カップ１０と口金１１は一体化したデザインであり、分離することができない。電源ドライバー１５及び実装基板１４と口金の間も熔接で固定している。よって、電源ドライバー１５が故障或いは損傷したときは、ガラスカバー１２、実装基板１４を外してから電源ドライバー１５のコードを半田除去して始めて交換できると、大変不便である。よって、電球が故障すると、業者は通常、消費者にＬＥＤ電球をまるごと取り外して製造工場へ送る要求をするのみで、直ちに処理できず、消費者は修理の間、照明が不足する不便な状況に陥る。仮に業者が消費者に新しい電球と交換するサービスを行えば、ストックする数を増やすこととなり、運営のコストが高くなる。
【０００４】
一般的にＬＥＤ発光部品１３の使用寿命は通常２０万時間以上に達するのに対し、該電源ドライバー１５の使用寿命は約３万時間と大きな落差がある。よって、ＬＥＤ電球のメーカーは、該電源ドライバー１５の寿命を考慮し、正常使用の元での約３万時間前後のみの保障期間を設けることで、該部品の交換により、人力の派遣及びメンテナンスの面倒によるコストの増加を回避している。しかし、それは消費者にとって、大変アンフェアなことであり、更なる改善が必要であった。
【先行技術文献】
【特許文献】
【０００５】
【特許文献１】特開２０１１−４９３２５号公報
【考案の概要】
【考案が解決しようとする課題】
【０００６】
前記公知構造の欠点を解決するため、本考案は分解できる「ＬＥＤ電球」の構造を提供することを主な課題とする。
【課題を解決するための手段】
【０００７】
前記課題を解決するために、本考案はＬＥＤ電球の構造を提供するものである。口金と放熱カップの二つの部品は、分解、組立できるデザインであり、内部の電源ドライブの接続方法を変えることで、該電源ドライバーが損壊すると、口金を外して交換するだけでよい。つまり業者は口金３をストックするだけで、ＬＥＤ電球の使用寿命が平均使用寿命である２０万時間以上に達するよう保障することができる上、多くのストックコストが増えることがない。
【考案の効果】
【０００８】
本考案の口金と放熱カップの二つの部品は、分解、組立できるデザインであり、使用寿命の短い電源ドライバーが損壊すると、口金を外して交換するだけでよいため、業者は口金３をストックするだけで、ＬＥＤ電球の使用寿命が平均使用寿命である２０万時間以上に達するよう保障することができる上、多くのストックコストが増えることがない。
【図面の簡単な説明】
【０００９】
【図１】従来技術におけるＬＥＤ電球の組合構造断面図である。
【図２】本考案における立体分解図である。
【図３】本考案における組合構造断面図である。
【図４】本考案における第二実施例の構造分解断面図である。
【考案を実施するための形態】
【００１０】
図２及び図３に示すように、本考案のＬＥＤ電球は放熱カップ２、口金３、ガラスカバー４、実装基板５、電源ドライバー６及び少なくとも一つのＬＥＤ発光部品７によって構成している。
【００１１】
口金３の外部に外部電源と導電し、接続する接続部３０を具有する。本実施例の接続部３０は導電性のあるコネクタであり、その外部には接続用のねじ山を具有し、設置する電球のホルダーに螺旋入れて固定及び接続することで、電気を導電する。また、対応する放熱カップ２に第一組立部３１を設け、該放熱カップ２と一体に組み立てる。本実施例の第一組立部３１は外部に第一ねじ山３１０を具有する柱体であり、且つ該第一組立部３１は口金３の内部と連通する口金穴３２を具有する。
【００１２】
放熱カップ２は金属の材質を使用し、ＬＥＤが発光した後に生じる熱を分散する。該放熱カップ２の対応する両サイドは貫通する中空部２０を具有し、複数のＬＥＤ発光部品７及び実装基板５を搭載する。該中空部２０の中に載台２１を設け、実装基板５の支えとする。該放熱カップ２は口金３の第一組立部３１に対応する部分に第二組立部２２を設置し、口金３と一体に構成する。本実施例の第二組立部２２は、載台２１の口金３の口金穴３２と対応する部分に一つの穴（第一穴）２１０を設け、該第一穴２１０と近隣する載台２１の内壁に第一ねじ山３１０と螺合する第二ねじ山２１１を設ける。そのように、第一組立部３１は第一穴２１０に挿入してから第一ねじ山３１０を第二ねじ山２１１と螺合することで、口金３と放熱カップ２は分解、組合せのできる構造となる。また、該載台２１は実装基板を載せる部分に一つの穴（第二穴）２１２を設け、該第二穴２１２と第一穴２１０が互いに通じ、実装基板５と接続する電源コード５０はここを通過することができる。
【実施例】
【００１３】
少なくとも一つのＬＥＤ発光部品７を実装基板５に設置し、実装基板５と電気接続する。該電源が実装基板５を通ると、該ＬＥＤ発光部品７は直ちに点灯される。実装基板５は電源コード５０を接続し、該電源コード５０のエンド端に第二電気コネクタ５１を接続する。
【００１４】
電源ドライバー６の一端はコード６０により口金３の接続部３０と接続し、別端は第一電気コネクタ６１と接続する。第二電気コネクタ５１と第一電気コネクタ６１が接続することにより、外部の電源は該電源ドライバー６を通じて実装基板５に供給し、ＬＥＤ発光部品７をライトアップする。該電源ドライバー６の主な機能は、外部からインプットする電源を転換及び変圧するものであり、適切な電源をＬＥＤ発光部品７に与える。
【００１５】
図３に示すように、組立て時は少なくとも一つのＬＥＤ発光部品７の実装基板５を放熱カップ２内にある載台２１に固定し、且つ該放熱カップ２の外部に一つのガラスカバー４を套接する。続いて第一電気コネクタ６１を第二電気コネクタ５１と対応して接合することで、口金３の接続部３０と実装基板５の間が導電する状態となる。最後に第一組立部３１と第二組立部２２を螺合することで、口金３と放熱カップ２を組み合わせる。
【産業上の利用可能性】
【００１６】
口金３と放熱カップ２は分解及び組立のできるデザインであり、平均の使用寿命が比較的短い電源ドライバー６が損壊した場合、口金３を外して交換するだけでよい。つまり業者は口金３をストックするだけで、ＬＥＤ電球の使用寿命が２０万時間以上に達するよう保障することができる（即ちＬＥＤ発光部品の使用寿命）。且つストックコストが増えることなく、消費者にとって、大変よい知らせである。
【００１７】
図４に示すのは、本考案の第二実施例である。図にある第一組立部３１は口金３の口金穴３２の端に放熱カップ２の方向に向けて、複数の弾性フック３１１を設ける。また、載台２１の内壁２１３と第一穴２１０の間に一つの段差２１４を具有し、それが第二組立部２２である。前記フック３１１を第一穴２１０に挿入すると、該段差部２１４に掛合し、口金３と放熱カップ２を固定することができる。
【００１８】
以上の実施例による本考案の詳細な説明は本考案の範囲を制限するものではない。本技術に熟知する者が、本考案の範囲内にて行う変更や調整を行っても、本考案の重要な意義は失われず、本考案の範囲に含まれる。
【符号の説明】
【００１９】
２      放熱カップ
２０    中空部
２１    載台
２２    第二組立部
２１０  第一穴
２１１  第二ねじ山
２１２  第二穴
２１３  内壁
２１４  段差部
３      口金
３０    接続部
３１    第一組立部
３１０  第一ねじ山
３１１  フック
３２    口金穴
４      ガラスカバー
５      実装基板
５０    電源コード
５１    第二コネクタ
６      電源ドライバー
６０    コード
６１    第一コネクタ
７      ＬＥＤ発光部品
【図１】
0003172252.tif 000003
【図２】
0003172252.tif 000004
【図３】
0003172252.tif 000005
【図４】
0003172252.tif 000006